(57)【要約】【課題】監視／制御用ネットワークの構築を簡単化する。【解決手段】監視／制御装置が接続される中継装置は、監視／制御装置が接続されない上記中継装置を、監視／制御装置が監視または制御する際に、伝送フレームの中の未使用領域に、監視／制御装置が、監視／制御装置が接続されない中継装置を監視または制御するための監視／制御信号を挿入し、監視／制御装置が接続されない中継装置の監視／制御手段が、伝送フレームの中の未使用領域に挿入した監視／制御信号を、当該伝送フレームから抽出して監視／制御装置に出力する。監視／制御装置が接続されない中継装置は、伝送フレームの中の未使用領域に挿入された監視／制御信号を抽出して自中継装置内の監視／制御手段に与え、監視／制御手段の監視／制御信号を、伝送フレームの中の未使用領域に挿入して監視／制御装置が接続される中継装置に向けて送信する。【選択図】図１
2009232193.tif 000002
【特許請求の範囲】
【請求項１】
複数の中継装置と、この中継装置を監視または制御する監視／制御装置とを備え、
上記中継装置には、上記監視／制御装置との間で送受信される監視／制御信号に基づき自中継装置内の機能ブロックに対する監視または制御を実施する監視／制御手段を備えた
通信システムにおいて、
上記中継装置のうちのいずれかに上記監視／制御装置が接続され、
上記中継装置のうちの上記監視／制御装置が接続される中継装置は、
上記監視／制御装置が接続されない上記中継装置を、上記監視／制御装置が監視または制御する際に、上記中継装置間で送受信される伝送フレームの中の未使用領域に、上記監視／制御装置が、上記監視／制御装置が接続されない上記中継装置を監視または制御するための上記監視／制御信号を挿入する第一の監視／制御信号挿入手段と、
上記監視／制御装置が接続されない上記中継装置の上記監視／制御手段が、上記伝送フレームの中の未使用領域に挿入した監視／制御信号を、当該伝送フレームから抽出して上記監視／制御装置に出力する第一の監視／制御信号抽出手段と
を備え、
上記中継装置のうちの上記監視／制御装置が接続されない中継装置は、
上記伝送フレームの中の未使用領域に挿入された監視／制御信号を抽出して自中継装置内の上記監視／制御手段に与える第二の監視／制御信号抽出手段と、
上記監視／制御手段の監視／制御信号を、上記伝送フレームの中の未使用領域に挿入して上記監視／制御装置が接続される中継装置に向けて送信する第二の監視／制御信号挿入手段と
を備えたことを特徴とする通信システム。
【請求項２】
複数の中継装置と、この中継装置を監視または制御する監視／制御装置とを備え、
上記中継装置には、上記監視／制御装置との間で送受信される監視／制御信号に基づき自中継装置内の機能ブロックに対する監視または制御を実施する監視／制御手段を備えた通信システムに適用される監視／制御方法において、
上記中継装置のうちのいずれかに上記監視／制御装置が接続され、
上記中継装置のうちの上記監視／制御装置が接続される中継装置の第一の監視／制御信号挿入手段が、上記監視／制御装置が接続されない上記中継装置を、上記監視／制御装置が監視または制御する際に、上記中継装置間で送受信される伝送フレームの中の未使用領域に、上記監視／制御装置が、上記監視／制御装置が接続されない上記中継装置を監視または制御するための上記監視／制御信号を挿入し、
上記中継装置のうちの上記監視／制御装置が接続される中継装置の第一の監視／制御信号抽出手段が、上記監視／制御装置が接続されない上記中継装置の上記監視／制御手段が、上記伝送フレームの中の未使用領域に挿入した監視／制御信号を、当該伝送フレームから抽出して上記監視／制御装置に出力し、
上記中継装置のうちの上記監視／制御装置が接続されない中継装置の第二の監視／制御信号抽出手段が、上記伝送フレームの中の未使用領域に挿入された監視／制御信号を抽出して自中継装置内の上記監視／制御手段に与え、
上記中継装置のうちの上記監視／制御装置が接続されない中継装置の第二の監視／制御信号挿入手段が、上記監視／制御手段の監視／制御信号を、上記伝送フレームの中の未使用領域に挿入して上記監視／制御装置が接続された中継装置に向けて送信する
ことを特徴とする監視／制御方法。
【請求項３】
複数の中継装置と、この中継装置を監視または制御する監視／制御装置とを備え、
上記中継装置には、上記監視／制御装置との間で送受信される監視／制御信号に基づき自中継装置内の機能ブロックに対する監視または制御を実施する監視／制御手段を備えた通信システムの上記中継装置のうちの上記監視／制御装置が接続される中継装置において、
上記監視／制御装置が接続されない上記中継装置を、上記監視／制御装置が監視または制御する際に、上記中継装置間で送受信される伝送フレームの中の未使用領域に、上記監視／制御装置が、上記監視／制御装置が接続されない上記中継装置を監視または制御するための上記監視／制御信号を挿入する第一の監視制御信号挿入手段と、
上記監視／制御装置が接続されない上記中継装置の上記監視／制御手段が、上記伝送フレームの中の未使用領域に挿入した監視／制御信号を、当該伝送フレームから抽出して上記監視／制御装置に出力する第一の監視／制御信号抽出手段と
を備えたことを特徴とする中継装置。
【請求項４】
複数の中継装置と、この中継装置を監視または制御する監視／制御装置とを備え、
上記中継装置には、上記監視／制御装置との間で送受信される監視／制御信号に基づき自中継装置内の機能ブロックに対する監視または制御を実施する監視／制御手段を備えた通信システムの上記中継装置のうちの上記監視／制御装置が接続されない中継装置において、
上記伝送フレームの中の未使用領域に挿入された監視／制御信号を抽出して自中継装置内の上記監視／制御手段に与える第二の監視制御信号抽出手段と、
上記監視／制御手段の監視／制御信号を、上記伝送フレームの中の未使用領域に挿入して上記監視／制御装置が接続された中継装置に向けて送信する第二の監視／制御信号挿入手段と
を備えたことを特徴とする中継装置。
【請求項５】
情報処理装置にインストールすることにより、その情報処理装置に、
複数の中継装置と、この中継装置を監視または制御する監視／制御装置とを備え、
上記中継装置には、上記監視／制御装置との間で送受信される監視／制御信号に基づき自中継装置内の機能ブロックに対する監視または制御を実施する監視／制御機能を備えた通信システムの上記中継装置のうちの上記監視／制御装置が接続される中継装置の機能を実現するプログラムにおいて、
上記監視／制御装置が接続されない上記中継装置を、上記監視／制御装置が監視または制御する際に、上記中継装置間で送受信される伝送フレームの中の未使用領域に、上記監視／制御装置が、上記監視／制御装置が接続されない上記中継装置を監視または制御するための上記監視／制御信号を挿入する第一の監視制御信号挿入機能と、
上記監視／制御装置が接続されない上記中継装置の上記監視／制御機能が、上記伝送フレームの中の未使用領域に挿入した監視／制御信号を、当該伝送フレームから抽出して上記監視／制御装置に出力する第一の監視／制御信号抽出機能と
を実現することを特徴とするプログラム。
【請求項６】
情報処理装置にインストールすることにより、その情報処理装置に、
複数の中継装置と、この中継装置を監視または制御する監視／制御装置とを備え、
上記中継装置には、上記監視／制御装置との間で送受信される監視／制御信号に基づき自中継装置内の機能ブロックに対する監視または制御を実施する監視／制御機能を備えた通信システムの上記中継装置のうちの上記監視／制御装置が接続されない中継装置の機能を実現するプログラムにおいて、
上記伝送フレームの中の未使用領域に挿入された監視／制御信号を抽出して自中継装置内の上記監視／制御機能に与える第二の監視制御信号抽出機能と、
上記監視／制御機能の監視／制御信号を、上記伝送フレームの中の未使用領域に挿入して上記監視／制御装置が接続された中継装置に向けて送信する第二の監視／制御信号挿入機能と
を実現することを特徴とするプログラム。
【発明の詳細な説明】
【技術分野】
【０００１】
本発明は、通信システムおよび監視／制御方法および中継装置およびプログラムに関する。
【背景技術】
【０００２】
複数の中継装置と、この中継装置を監視または制御する監視／制御装置とを備え、中継装置には、監視／制御装置との間で送受信される監視／制御信号に基づき自中継装置内の機能ブロックに対する監視または制御を実施する監視／制御機能部を備えた通信システムが知られている。
【０００３】
このような通信システムの例として、ギガビット・イーサネットＭＵＸ(MUltipleXer)装置の構成例を図７に示す。図７は、既存のギガビット・イーサネットＭＵＸ装置のブロック構成図である。図７において、中継装置６０−１および６０−２の監視／制御機能部２−１および２−２は、主信号とは別の監視／制御用ネットワーク３を介して監視／制御装置４と通信を行う。
【特許文献１】特開２００５−２６９５０７号公報
【発明の開示】
【発明が解決しようとする課題】
【０００４】
図７に示した構成では、両方の中継装置６０−１および６０−２の監視／制御機能部２−１および２−２をそれぞれ監視／制御用ネットワーク３に接続しなくては、中継装置６０−１および６０−２の監視および制御を行うことができない。そのため、ネットワークの構築および管理が複雑になるという課題がある。
【０００５】
図７の例では、中継装置は２台だが実際にはさらに多数の中継装置が備えられており、それら全ての中継装置を監視／制御用ネットワーク３を介してそれぞれ監視／制御装置４に接続しなくてはならず、ネットワークの構築および管理は複雑である。
【０００６】
本発明は、このような背景の下に行われたものであって、監視／制御用ネットワークの構築を簡単化することができる通信システムおよび監視／制御方法および中継装置およびプログラムを提供することを目的とする。
【課題を解決するための手段】
【０００７】
本発明は、複数の中継装置と、この中継装置を監視または制御する監視／制御装置とを備え、上記中継装置には、上記監視／制御装置との間で送受信される監視／制御信号に基づき自中継装置内の機能ブロックに対する監視または制御を実施する監視／制御手段を備えた通信システムである。
【０００８】
ここで、本発明の特徴とするところは、上記中継装置のうちのいずれかに上記監視／制御装置が接続され、上記中継装置のうちの上記監視／制御装置が接続される中継装置は、上記監視／制御装置が接続されない上記中継装置を、上記監視／制御装置が監視または制御する際に、上記中継装置間で送受信される伝送フレームの中の未使用領域に、上記監視／制御装置が、上記監視／制御装置が接続されない上記中継装置を監視または制御するための上記監視／制御信号を挿入する第一の監視／制御信号挿入手段と、上記監視／制御装置が接続されない上記中継装置の上記監視／制御手段が、上記伝送フレームの中の未使用領域に挿入した監視／制御信号を、当該伝送フレームから抽出して上記監視／制御装置に出力する第一の監視／制御信号抽出手段とを備え、上記中継装置のうちの上記監視／制御装置が接続されない中継装置は、上記伝送フレームの中の未使用領域に挿入された監視／制御信号を抽出して自中継装置内の上記監視／制御手段に与える第二の監視／制御信号抽出手段と、上記監視／制御手段の監視／制御信号を、上記伝送フレームの中の未使用領域に挿入して上記監視／制御装置が接続された中継装置に向けて送信する第二の監視／制御信号挿入手段とを備えたところにある。
【０００９】
また、本発明を監視／制御方法としての観点から観ると、本発明は、本発明の通信システムに適用される監視／制御方法であって、本発明の特徴とするところは、上記中継装置のうちのいずれかに上記監視／制御装置が接続され、上記中継装置のうちの上記監視／制御装置が接続される中継装置の第一の監視／制御信号挿入手段が、上記監視／制御装置が接続されない上記中継装置を、上記監視／制御装置が監視または制御する際に、上記中継装置間で送受信される伝送フレームの中の未使用領域に、上記監視／制御装置が、上記監視／制御装置が接続されない上記中継装置を監視または制御するための上記監視／制御信号を挿入し、上記中継装置のうちの上記監視／制御装置が接続される中継装置の第一の監視／制御信号抽出手段が、上記監視／制御装置が接続されない上記中継装置の上記監視／制御手段が、上記伝送フレームの中の未使用領域に挿入した監視／制御信号を、当該伝送フレームから抽出して上記監視／制御装置に出力し、上記中継装置のうちの上記監視／制御装置が接続されない中継装置の第二の監視／制御信号抽出手段が、上記伝送フレームの中の未使用領域に挿入された監視／制御信号を抽出して自中継装置内の上記監視／制御手段に与え、上記中継装置のうちの上記監視／制御装置が接続されない中継装置の第二の監視／制御信号挿入手段が、上記監視／制御手段の監視／制御信号を、上記伝送フレームの中の未使用領域に挿入して上記監視／制御装置が接続された中継装置に向けて送信するところにある。
【００１０】
また、本発明を中継装置としての観点から観ると、本発明は、本発明の通信システムの上記中継装置のうちの上記監視／制御装置が接続される中継装置であって、本発明の特徴とするところは、上記監視／制御装置が接続されない上記中継装置を、上記監視／制御装置が監視または制御する際に、上記中継装置間で送受信される伝送フレームの中の未使用領域に、上記監視／制御装置が、上記監視／制御装置が接続されない上記中継装置を監視または制御するための上記監視／制御信号を挿入する第一の監視制御信号挿入手段と、上記監視／制御装置が接続されない上記中継装置の上記監視／制御手段が、上記伝送フレームの中の未使用領域に挿入した監視／制御信号を、当該伝送フレームから抽出して上記監視／制御装置に出力する第一の監視／制御信号抽出手段とを備えたところにある。
【００１１】
また、本発明は、本発明の通信システムの上記中継装置のうちの上記監視／制御装置が接続されない中継装置であって、本発明の特徴とするところは、上記伝送フレームの中の未使用領域に挿入された監視／制御信号を抽出して自中継装置内の上記監視／制御手段に与える第二の監視制御信号抽出手段と、上記監視／制御手段の監視／制御信号を、上記伝送フレームの中の未使用領域に挿入して上記監視／制御装置が接続された中継装置に向けて送信する第二の監視／制御信号挿入手段とを備えたところにある。
【００１２】
また、本発明をプログラムとしての観点から観ると、本発明は、情報処理装置にインストールすることにより、その情報処理装置に、本発明の上記監視／制御装置が接続される中継装置の機能を実現するプログラムであって、本発明の特徴とするところは、上記監視／制御装置が接続されない上記中継装置を、上記監視／制御装置が監視または制御する際に、上記中継装置間で送受信される伝送フレームの中の未使用領域に、上記監視／制御装置が、上記監視／制御装置が接続されない上記中継装置を監視または制御するための上記監視／制御信号を挿入する第一の監視制御信号挿入機能と、上記監視／制御装置が接続されない上記中継装置の上記監視／制御機能が、上記伝送フレームの中の未使用領域に挿入した監視／制御信号を、当該伝送フレームから抽出して上記監視／制御装置に出力する第一の監視／制御信号抽出機能とを実現するところにある。
【００１３】
また、本発明のプログラムは、上記監視／制御装置が接続されない中継装置の機能を実現するプログラムであって、本発明の特徴とするところは、上記伝送フレームの中の未使用領域に挿入された監視／制御信号を抽出して自中継装置内の上記監視／制御機能に与える第二の監視制御信号抽出機能と、上記監視／制御機能の監視／制御信号を、上記伝送フレームの中の未使用領域に挿入して上記監視／制御装置が接続された中継装置に向けて送信する第二の監視／制御信号挿入機能とを実現するところにある。
【発明の効果】
【００１４】
本発明によれば、監視／制御用ネットワークの構築を簡単化することができる。
【発明を実施するための最良の形態】
【００１５】
本発明の実施形態の通信システムを図１から図６を参照して説明する。図１は、本発明の実施形態の通信システムの概念図である。図２は、本発明の実施形態の中継装置の構成図である。図３は、本発明の実施形態のＩｎｓｅｒｔ／Ｄｒｏｐ機能部のブロック構成図である。
【００１６】
本発明の実施形態の通信システムは、図１に示すように、複数の中継装置１−１および１−２と、この中継装置１−１および１−２を監視または制御する監視／制御装置４とを備え、中継装置１−１および１−２には、監視／制御装置４との間で送受信される監視／制御信号に基づき自中継装置内の機能ブロックに対する監視または制御を実施する監視／制御機能部２−１および２−２を備える。
【００１７】
ここで、本発明の実施形態の特徴とするところは、図２および図３に示すように、中継装置１−１、１−２のうちの中継装置１−１に監視／制御装置４が監視／制御用ネットワーク３を介して接続され、中継装置１−１は、監視／制御装置４が接続されない中継装置１−２を、監視／制御装置４が監視または制御する際に、中継装置１−１と中継装置１−２との間で送受信される伝送フレームの中の未使用領域に、監視／制御装置４が、中継装置１−２を監視または制御するための監視／制御信号を挿入する監視制御信号挿入部２１と、中継装置１−２の監視／制御機能部２−２が、上記伝送フレームの中の未使用領域に挿入した監視／制御信号を、当該伝送フレームから抽出して監視／制御装置４に出力する監視／制御信号抽出部２０とを備え、中継装置１−２は、上記伝送フレームの中の未使用領域に挿入された監視／制御信号を抽出して自中継装置内の監視／制御機能部２−２に与える監視制御信号抽出部２０と、監視／制御機能部２−２の監視／制御信号を、上記伝送フレームの中の未使用領域に挿入して監視／制御装置４が接続された中継装置１−１に向けて送信する監視／制御信号挿入部２１とを備えたところにある。
【００１８】
なお、中継装置１−１の監視／制御信号抽出部２０および監視／制御信号挿入部２１と、中継装置１−２の監視／制御信号抽出部２０および監視／制御信号挿入部２１とでは監視／制御信号の処理内容が異なるが、いずれの中継装置１−１または１−２に監視／制御装置４が接続されてもよいように、同一の機能を有することが望ましい。
【００１９】
以下では、本発明の実施形態の通信システムをさらに詳細に説明する。
【００２０】
本発明の実施形態の通信システムは、イーサネット用のＷＤＭ(Wavelength
Division Multiplexing)装置、イーサネットＭＵＸ装置等における中継装置間の遠隔監視および制御を制御専用の通信網の設置および主信号の帯域を劣化させることなく制御および監視を実現することができる。
【００２１】
図１にギガビット・イーサネットのＭＵＸシステムにおける適用例を示す。図１では、例として中継装置１−１に監視／制御装置４を接続することにより中継装置１−２の監視および制御を行う構成を示している。監視／制御装置４を中継装置１−１側に接続することにより中継装置１−１側による中継装置１−２の監視および制御が可能となる。
【００２２】
図１の中継装置１−１および１−２は、イーサネットデータを伝送するイーサネット回線５−１および５−２をＴＤＭ(Time Division Multiplexing)多重して伝送路６で通信を行う。中継装置１−１と中継装置１−２との間の監視／制御信号は、イーサネットデータのアイドル区間に挿入または抽出する。これにより対向する中継装置１−２の監視および制御を、中継装置１−１側の監視／制御機能部２−１を利用し、中継装置１−１側に監視／制御用ネットワーク３を介して接続される監視／制御装置４が行うことができる。中継装置１−１の監視／制御機能部２−１は制御／監視用ネットワーク３を介して監視／制御装置４と通信を行う。
【００２３】
これにより、対向する中継装置を監視および制御するためのネットワーク構築を必要としない。また、アイドル区間に監視／制御信号を挿入することにより伝送データの帯域が劣化することはない。また、対向する中継装置を１つのシステムとして制御または監視することによりネットワーク管理の簡略化が図れる。
【００２４】
図２にギガビット・イーサネットのＭＵＸシステムにおける中継装置１の構成を示す。中継装置１は、イーサネット回線５より受信した伝送データを終端するためのＰＣＳ（物理コーディング・サブレイヤ）機能部１０、監視／制御信号のＩｎｓｅｒｔ／Ｄｒｏｐを行うＩｎｓｅｒｔ／Ｄｒｏｐ機能部１１、ギガビット・イーサネットをＴＤＭに多重を行うＴＤＭ機能部１２および監視および制御を行う監視／制御機能部２で構成される。
【００２５】
まず、イーサネット回線５から伝送路６に向かう方向の伝送データの処理手順について説明する。イーサネット回線５から受信した伝送データは、ＰＣＳ機能部１０で終端を行う。Ｉｎｓｅｒｔ／Ｄｒｏｐ機能部１１は、ＰＣＳ機能部１０で終端した伝送データに含まれる、監視／制御機能部２から対向装置へ送信する監視／制御信号を抽出する。この抽出した監視／制御信号を、図３に示す監視／制御信号挿入部２１がイーサネットデータのアイドル部に挿入してＴＤＭ機能部１２へ送信する。
【００２６】
ＴＤＭ機能部１２はＩｎｓｅｒｔ／Ｄｒｏｐ機能部１１より受信したギガビット・イーサネットデータをアイドル部も含めてＯＣ１９２へマッピングを行い、対向装置へ伝送路６を用いて送信を行う。
【００２７】
次に、伝送路６からイーサネット回線５に向かう方向の伝送データの処理手順について説明する。対向装置から伝送路６を介して受信したＴＤＭ多重データはアイドル信号も含めＴＤＭ機能部１２でポート単位に分割を行う。
【００２８】
ポート単位に分割された伝送データは、Ｉｎｓｅｒｔ／Ｄｒｏｐ機能部１１の監視／制御信号抽出部２０において対向装置の監視／制御機能部２からの監視／制御信号の抽出を行う。これにより、伝送データのアイドル信号は、通常のアイドル信号に変換されてＰＣＳ機能部１０へ入力する。
【００２９】
ＰＣＳ機能部１０は、伝送データをギガビット・イーサネットデータとしてイーサネット回線５へ送信する。Ｉｎｓｅｒｔ／Ｄｒｏｐ機能部１１の監視／制御信号抽出部２０で抽出された対向装置の監視／制御信号は、監視／制御機能部２へ与えられ、監視／制御機能部２は所定の監視／制御処理を行う。
【００３０】
次に、図４から図６を用いて中継装置の動作手順を以下に説明する。図４は、中継装置の動作手順を説明するための図である。図５は、監視／制御信号をＩＦＧ(Inter Frame Gap)信号部分に挿入した状態を示す図である。図６は、監視／制御機能部の中継装置内部における制御信号伝達経路を示す図である。
【００３１】
図４において、ＰＣＳ機能部１０−２では、イーサネット回線５−２からの伝送データを終端し、８Ｂ／１０ＢのＤｅｃｏｄｅを行い、Ｉｎｓｅｒｔ／Ｄｒｏｐ機能部１１−２へ出力する。
【００３２】
Ｉｎｓｅｒｔ／Ｄｒｏｐ機能部１１−２は、監視／制御機能部２−２から監視／制御装置４に送信する監視／制御信号をフレーム構成で受信し、図５に示すように、ＰＣＳ機能部１０−２より受信した伝送データのアイドル部分であるＩＦＧ信号部分４０（図５ではＩＦＧと図示）に、監視／制御信号３０を分割して挿入し、ＴＤＭ機能部１２−２へ出力する。
【００３３】
また、ＴＤＭ機能部１２−２より受信した伝送データから監視／制御信号３０をＤｒｏｐし、監視／制御信号を再構築して監視／制御機能部２−２へ出力する。また、Ｄｒｏｐを行う際に、伝送データに、ギガビット・イーサネットデータにおけるＩＦＧ信号部分４０を挿入し、ＰＣＳ機能部１０−２へ出力する。
【００３４】
監視／制御機能部２−２では、装置内部制御パス５０（図６参照）を用いて中継装置内を監視し、対向装置へ送信する監視／制御信号をフレーム構成でＩｎｓｅｒｔ／Ｄｒｏｐ機能部１１−２の監視／制御信号挿入部２１へ出力する。また、Ｉｎｓｅｒｔ／Ｄｒｏｐ機能部１１−２の監視／制御信号抽出部２０で対向装置より受信した伝送データより監視／制御信号を受信し装置内部の監視または制御を実行する。
【００３５】
ＴＤＭ機能部１２−２では、Ｉｎｓｅｒｔ／Ｄｒｏｐ機能部１１−２より受信した伝送データを監視／制御信号も含めてＯＣ１９２フレームへマッピングし、ギガビット・イーサネットを１０Ｇｂｐｓへ多重して伝送路６へ送信する。
【００３６】
対向する中継装置１−１は、伝送路６より受信したＯＣ１９２フレームをＴＤＭ機能部１２−１で受信し、ポート単位にギガビット・イーサネットデータを監視／制御信号３０も含めて振り分け、Ｉｎｓｅｒｔ／Ｄｒｏｐ機能部１１−１へ出力する。
【００３７】
対向する中継装置１−１の監視／制御機能部２−１は、監視／制御装置４からの監視／制御信号により装置内部制御パス５０を用いて中継装置１−１内部の監視または制御（具体的には、設定および読み出し値の応答など）を行う。
【００３８】
Ｉｎｓｅｒｔ／Ｄｒｏｐ機能部１１−１の監視／制御信号抽出部２０は、ＴＤＭ機能部１２−１より受信した伝送データより監視／制御信号を抽出し、監視／制御信号を再構築して監視／制御機能部２−１へ出力する。また、ＴＤＭ機能部１２−１から受信した伝送データは、制御データ部にギガビット・イーサネットのアイドル信号を挿入しＰＣＳ機能部１０−１へ出力する。また、監視／制御信号挿入部２１は、監視／制御機能部２−１より受信した監視／制御信号を分割しＰＣＳ機能部１０−１より受信した伝送データのアイドル部分に挿入し、ＴＤＭ機能部１２−１へ出力する。
【００３９】
ＰＣＳ機能部１０−１は、Ｉｎｓｅｒｔ／Ｄｒｏｐ機能部１１−１より受信した信号をギガビット・イーサネット信号としてイーサネット回線５−１へ出力する。
【００４０】
中継装置１−１の監視／制御機能部２−１は、監視／制御装置４と制御用伝送路１４で通信が行われている。監視／制御装置４は、上記の方式により両方の中継装置１−１および１−２について、監視および制御を行うことができる。
【００４１】
なお、本発明の実施形態は、上記の実施形態に限定されるものではなく、イーサネットを多重する中継装置において、イーサネットのアイドル部を使用し制御データを送信または受信する装置においても適用可能である。
（プログラムの実施例）
【００４２】
情報処理装置にインストールすることにより、その情報処理装置に、本実施形態の中継装置１−１、１−２の機能を実現するプログラムの実施例を説明する。ここで、情報処理装置とは、汎用のコンピュータ装置である。
【００４３】
本実施例のプログラムは記録媒体に記録されることにより、情報処理装置は、この記録媒体を用いて本実施例のプログラムをインストールすることができる。あるいは、本実施例のプログラムを保持するサーバからネットワークを介して直接情報処理装置に本実施例のプログラムをインストールすることもできる。
【００４４】
これにより、情報処理装置を用いて、本実施形態の中継装置１−１、１−２におけるＩｎｓｅｒｔ／Ｄｒｏｐ機能部１１の機能を実現することができる。その他の機能についても本実施例のプログラムによって実現可能な機能についてはＩｎｓｅｒｔ／Ｄｒｏｐ機能部１１の機能と併せて実現するようにしてもよい。
【００４５】
なお、本実施例のプログラムは、情報処理装置によって直接実行可能なものだけでなく、ハードディスクなどにインストールすることによって実行可能となるものも含む。また、圧縮されたり、暗号化されたりしたものも含む。
（効果の説明）
【００４６】
第一の効果は、２つの中継装置１−１および１−２を一つの監視／制御装置４で監視または制御が可能であるため、監視／制御用ネットワークの構築が一つの中継装置１−１の分だけで実現可能である。
【００４７】
第二の効果は、監視／制御信号を主信号のアイドル部に挿入することにより監視／制御信号専用の信号線を常時設定する必要はなく、また、主信号のアイドル部を利用することにより、主信号の劣化を招くことなく中継装置相互間の監視または制御が可能である。
【００４８】
第三の効果は、２つの中継装置を１つのシステムとして監視または制御を行うため、ネットワーク管理が容易になる。
【産業上の利用可能性】
【００４９】
本発明は、監視／制御用ネットワークの構築を簡単化することに利用できる。
【図面の簡単な説明】
【００５０】
【図１】本発明の実施形態の通信システムの概念図である。
【図２】本発明の実施形態の中継装置の構成図である。
【図３】本発明の実施形態のＩｎｓｅｒｔ／Ｄｒｏｐ機能部のブロック構成図である。
【図４】中継装置の動作手順を説明するための図である。
【図５】監視／制御信号をＩＦＧ信号部分に挿入した状態を示す図である。
【図６】監視／制御機能部の中継装置内部における制御信号伝達経路を示す図である。
【図７】既存のギガビット・イーサネットＭＵＸ装置のブロック構成図である。
【符号の説明】
【００５１】
１、１−１、１−２、６０−１、６０−２  中継装置
２、２−１、２−２  監視／制御機能部
３  監視／制御用ネットワーク
４  監視／制御装置
５、５−１、５−２  イーサネット回線
６  伝送路
１０、１０−１、１０−２  ＰＣＳ機能部
１１、１１−１、１１−２  Ｉｎｓｅｒｔ／Ｄｒｏｐ機能部
１２、１２−１、１２−２  ＴＤＭ機能部
１４、１４−１、１４−２  制御用伝送路
２０  監視／制御信号抽出部
２１  監視／制御信号挿入部
３０  監視／制御信号
４０  ＩＦＧ信号部分
５０  装置内部制御パス
【図１】
2009232193.tif 000003
【図２】
2009232193.tif 000004
【図３】
2009232193.tif 000005
【図４】
2009232193.tif 000006
【図５】
2009232193.tif 000007
【図６】
2009232193.tif 000008
【図７】
2009232193.tif 000009